(57)【要約】【課題】水等がコンセント部の差込部に浸入するのを防止すること。【解決手段】設置対象面に埋設状態で設置される筒状の固定部と、コンセント部２５が内蔵され、且つ、固定部の内部に収容される収容位置と固定部から設置対象面よりも上方側に突出する突出位置とに上下出退自在な可動部６とが備えられ、可動部６が突出位置に位置する状態において、コンセント部２５には、可動部６の側面部に露出する状態で差込部２６が備えられ、可動部６が突出位置に位置する状態において、差込部２６を閉塞する閉状態と開放する開状態とに切替自在な開閉部２９が備えられている。【選択図】図２
2020024887.tif 000002
【特許請求の範囲】
【請求項１】
設置対象面に埋設状態で設置される筒状の固定部と、
コンセント部が内蔵され、且つ、前記固定部の内部に収容される収容位置と前記固定部から設置対象面よりも上方側に突出する突出位置とに上下出退自在な可動部とが備えられ、
前記可動部が突出位置に位置する状態において、前記コンセント部には、前記可動部の側面部に露出する状態で差込部が備えられ、
前記可動部が突出位置に位置する状態において、前記差込部を閉塞する閉状態と開放する開状態とに切替自在な開閉部が備えられているコンセント装置。
【請求項２】
前記開閉部は、板状体であり、上端部のヒンジ部を支点とする上下揺動により閉状態と開状態とに切替自在で、且つ、前記板状体の自重により閉状態に復帰自在に備えられている請求項１に記載のコンセント装置。
【請求項３】
前記可動部が突出位置に位置する状態において、前記可動部の前記差込部よりも上方側部位には、前記固定部の外径よりも大径の大径部が備えられている請求項１又は２に記載のコンセント装置。
【請求項４】
前記可動部が収容位置に位置する状態において、前記可動部の前記差込部よりも上方側部位には、前記固定部に備えられた固定部側防水パッキンに嵌合自在な可動部側防水パッキンが備えられている請求項１〜３の何れか１項に記載のコンセント装置。
【発明の詳細な説明】
【技術分野】
【０００１】
本発明は、コンセント部を有するコンセント装置に関する。
【背景技術】
【０００２】
上記のようなコンセント装置は、床等の設置対象面に埋設状態で設置される筒状の固定部と、固定部に対して上下方向に出退自在な可動部とが備えられ、コンセント部が可動部に内蔵されている（例えば、特許文献１、２参照。）。
【０００３】
特許文献１、２に記載のコンセント装置では、可動部が、固定部に収容される収容位置と固定部から設置対象面よりも上方側に突出する突出位置とに上下出退自在に備えられている。よって、コンセント部を使用しない場合に、可動部を固定部の収容位置に収容させておき、コンセント部を使用する場合に、可動部を収容位置から突出位置に移動させて、突出位置の可動部からコンセント部の差込部を露出させ、差込部にプラグを差し込んでいる。
【０００４】
このように、特許文献１、２に記載のコンセント装置では、コンセント部を使用しない場合に、可動部を固定部に収容できることから、可動部やコンセント部が邪魔になることなく、意匠性も良いものとなっている。
【先行技術文献】
【特許文献】
【０００５】
【特許文献１】実公昭４９−２５０３６号公報
【特許文献２】実開平２−７５９２６号公報
【発明の概要】
【発明が解決しようとする課題】
【０００６】
コンセント装置の設置箇所としては、屋内の設置対象面だけでなく、屋外の設置対象面にコンセント装置を設置することが望まれている。しかしながら、特許文献１、２に記載のコンセント装置は、屋内の設置対象面に設置することが想定されているものであり、屋外に設置することが想定されていない。そのために、可動部が突出位置に位置する場合に、コンセント部の差込部が常時外部に露出されているので、水等が差込部に浸入してしまう可能性がある。
【０００７】
この実情に鑑み、本発明の主たる課題は、水等がコンセント部の差込部に浸入するのを防止することができるコンセント装置を提供する点にある。
【課題を解決するための手段】
【０００８】
本発明の第１特徴構成は、設置対象面に埋設状態で設置される筒状の固定部と、
コンセント部が内蔵され、且つ、前記固定部の内部に収容される収容位置と前記固定部から設置対象面よりも上方側に突出する突出位置とに上下出退自在な可動部とが備えられ、
前記可動部が突出位置に位置する状態において、前記コンセント部には、前記可動部の側面部に露出する状態で差込部が備えられ、
前記可動部が突出位置に位置する状態において、前記差込部を閉塞する閉状態と開放する開状態とに切替自在な開閉部が備えられている点にある。
【０００９】
本構成によれば、開閉部は、可動部が突出位置に位置する状態において、差込部を開状態と閉状態とに切り替えることができるので、可動部が突出位置に位置する状態において、開閉部を閉状態としておくことで、差込部を露出させない状態に維持しておくことができる。これにより、実際に差込部にプラグを差し込んでコンセント部を使用するタイミングのみ差込部を開状態とすることができるので、例えば、可動部を突出位置に位置させた当初等、実際に差込部にプラグを差し込んでいないタイミングでは差込部を開閉部にて閉状態としておくことができる。その結果、水等が差込部に浸入するのを防止することができ、屋外設置に対応できるコンセント装置を提供することができる。
【００１０】
本発明の第２特徴構成は、前記開閉部は、板状体であり、上端部のヒンジ部を支点とする上下揺動により閉状態と開状態とに切替自在で、且つ、前記板状体の自重により閉状態に復帰自在に備えられている点にある。
【００１１】
本構成によれば、開閉部は、板状体の上端部にヒンジ部を備えるという簡易な構成を採用することで、板状体を上下揺動させて閉状態と開状態とに切り替えることができる。しかも、開閉部である板状体の自重を利用して閉状態に復帰させるので、開閉部を上方側に揺動させて開状態として、差込部にプラグを差し込んだ状態でも、差込部に差し込んだプラグを開閉部にて上方側から覆うことができる。これにより、実際に差込部にプラグを差し込んだ状態でも、差込部への水等の浸入を的確に防止しながら、コンセント部を使用することができる。
【００１２】
本発明の第３特徴構成は、前記可動部が突出位置に位置する状態において、前記可動部の前記差込部よりも上方側部位には、前記固定部の外径よりも大径の大径部が備えられている点にある。
【００１３】
本構成によれば、可動部が突出位置に位置する状態において、差込部よりも上方側部位には大径部が存在するので、大径部が庇となって、水等の差込部への浸入を適切に防止することができる。
【００１４】
本発明の第４特徴構成は、前記可動部が収容位置に位置する状態において、前記可動部の前記差込部よりも上方側部位には、前記固定部に備えられた固定部側防水パッキンに嵌合自在な可動部側防水パッキンが備えられている点にある。
【００１５】
本構成によれば、可動部が収容位置に位置する状態において、可動部側防水パッキンと固定部側防水パッキンとの嵌合により水等の差込部への浸入を適切に防止することができる。
【図面の簡単な説明】
【００１６】
【図１】可動部が収容位置に位置する状態でのコンセント装置の側面図
【図２】可動部が突出位置に位置する状態でのコンセント装置の側面図
【図３】可動部が突出位置に位置する状態でのコンセント装置の斜視図
【図４】別実施形態において可動部が突出位置に位置する状態でのコンセント装置の側面図
【発明を実施するための形態】
【００１７】
本発明に係るコンセント装置の実施形態について図面に基づいて説明する。
このコンセント装置１は、設置箇所を、屋内だけでなく、屋外にも設置可能とする屋外対応型のコンセント装置にて構成されている。コンセント装置１は、例えば、図１に示すように、建物の屋外において、スラブ２の上部に束材３にて支持されたデッキ等の床材４の表面部を設置対象面として設置されている。
【００１８】
コンセント装置１は、図１及び図２に示すように、設置対象面である床材４の表面部に固定状態で配置される筒状の固定部５と、固定部５に対して上下出退自在な可動部６とが備えられ、コンセント部２５が可動部６に内蔵されている。図２は、コンセント部２５の差込部２６にプラグ９を差し込んだ状態を示している。固定部５は、床材４（設置対象面）に埋設状態で設置されている。可動部６は、固定部５に対して、固定部５の内部に収容される収容位置（図１参照）と固定部５から床材４よりも上方側に突出する突出位置（図２参照）とに上下出退自在に備えられている。
【００１９】
固定部５は、図１及び図２に示すように、上端部が開放され、且つ、下端部が底壁部５ａにて閉塞された円形の筒状に形成されている。固定部５の全体が床材４に埋設状態で設置され、例えば、固定部５の上端部と床材４の表面部とが面一又は略面一になるようにしている。固定部５の内壁部の上方側部位には、固定部５の周方向の全長に亘る状態で固定部側防水パッキン１１が備えられている。固定部５の底壁部５ａの中央部位には、固定部５の内部に浸入した水を排出する水抜き孔部１２が備えられている。
【００２０】
可動部６は、図１及び図２に示すように、下方側から、内部が中空空間に形成された下方側筒状部２１、固定部側防水パッキン１１に嵌合自在な可動部側防水パッキン２２、固定部５の上端部を閉塞自在な円盤状の閉塞部２３、閉塞部２３の外径よりも大径の大径部２４の順に備えられている。
【００２１】
可動部６において、図１及び図２に示すように、大径部２４よりも下方側部分（下方側筒状部２１、可動部側防水パッキン２２、及び、閉塞部２３を含む部分）は、その外径が固定部５の内径よりも小さく形成されている。これにより、可動部６は、固定部５に対して、大径部２４よりも下方側部分が上下方向に出退自在に備えられている。可動部６は、図１に示すように、収容位置において、大径部２４よりも下方側部分が固定部５の内部に収容されている。可動部６は、図２に示すように、突出位置において、下方側筒状部２１の上方側部分、可動部側防水パッキン２２、閉塞部２３、及び、大径部２４が床材４よりも上方側に突出している。
【００２２】
図１及び図２に示すように、可動部６を固定部５に対して上方側に移動するように付勢するバネ等の付勢部７が備えられている。付勢部７は、固定部５の底壁部５ａと可動部６（下方側筒状部２１）の底部を閉塞する部位との間に備えられている。可動部６（下方側筒状部２１）の底部には、可動部６の突出位置よりも上方側への移動を規制する移動規制部８が備えられている。移動規制部８は、可動部６（下方側筒状部２１）よりも径方向の外方側に突出する状態で備えられ、固定部５の固定部側防水パッキン１１に当接することで、可動部６の突出位置よりも上方側への移動を規制している。
【００２３】
下方側筒状部２１は、図１及び図２に示すように、下端部（底部）の一部が開放され、且つ、上端部が上壁部２１ａにて閉塞された円形の筒状に形成されている。下方側筒状部２１の内部には、第１コンセント支持部２７及び第２コンセント支持部２８にて吊り下げ支持される状態でコンセント部２５が配置されている。電気配線１０は、例えば、スラブ２と床材４との間の空間を利用して配置され、固定部５の底壁部５ａ等に形成された配線用孔部１３を通して、固定部５の外部から内部に進入してコンセント部２５に接続されている。
【００２４】
コンセント部２５は、図１及び図２に示すように、差込部２６が下方側を向く縦向き姿勢（図１中実線にて示す状態、及び、図２中点線にて示す状態）と差込部２６が横側を向く横向き姿勢（図２中実線にて示す状態）とに姿勢変更自在に備えられている。コンセント部２５を縦向き姿勢と横向き姿勢とに姿勢変更するための支持構成としては、例えば、可動部側防水パッキン２２から下方側に延びる第１コンセント支持部２７と、第１コンセント支持部２７から下方側に延びる左右一対の第２コンセント支持部２８と、左右一対の第２コンセント支持部２８にて両端部が回動自在に支持された水平軸部Ｐとが備えられている。水平軸部Ｐは、コンセント部２５を水平方向に貫通する状態で備えられ、コンセント部２５と一体的に水平軸部Ｐの軸心周りで回動自在に備えられている。これにより、コンセント部２５は、第１コンセント支持部２７及び第２コンセント支持部２８により吊り下げ支持される状態で、水平軸部Ｐの軸心周りで回動自在に支持されている。作業者等が、水平軸部Ｐの軸心周りでコンセント部２５を回動させるように操作することで、コンセント部２５を縦向き姿勢と横向き姿勢とに姿勢変更できるようになっている。また、コンセント部２５が水平軸部Ｐの軸心周りで回動する際に、抵抗が与えられており、その抵抗により縦向き姿勢及び横向き姿勢の夫々に姿勢保持できるようになっている。ちなみに、例えば、コンセント部２５側の係合部を、第２コンセント支持部２８側の被係合部に係合させることで、縦向き姿勢及び横向き姿勢の夫々に姿勢保持することもできる。
【００２５】
下方側筒状部２１の側壁部には、図３に示すように、可動部６が突出位置に位置する状態において、下方側筒状部２１の内部を外部に露出させる窓部２１ｂが形成されている。窓部２１ｂは、例えば、下方側筒状部２１の側壁部に形成された矩形状の孔部にて構成されている。可動部６が突出位置に位置する状態において、コンセント部２５を横向き姿勢とすることで、コンセント部２５の差込部２６を、窓部２１ｂを通して可動部６の側面部にて外部に露出自在に構成されている。
【００２６】
可動部６が突出位置に位置する状態において、下方側筒状部２１の窓部２１ｂを閉塞する閉状態（図４参照）と開放する開状態（図２及び図３参照）とに切替自在な開閉部２９が備えられている。ちなみに、図４は、後述の如く、コンセント装置１を床材４以外の設置対象面に設置した状態を示している。開閉部２９は、矩形状の板状体であり、上端部のヒンジ部３０を支点とする上下揺動により閉状態と開状態とに切替自在に構成されている。開閉部２９は、開閉部２９の上端部をヒンジ部３０にて支持することで、板状体である開閉部２９の自重により閉状態に復帰自在に備えられている。作業者等により開閉部２９を上方側に持ち上げることで、ヒンジ部３０を支点として開閉部２９を上方側に揺動して、窓部２１ｂを開放する開状態に切り替えることができる。このようにして、可動部６が突出位置に位置し、且つ、コンセント部２５を横向き姿勢とした状態において、開閉部２９は、窓部２１ｂを開閉することで、差込部２６を可動部６の側面部から露出させる開状態と差込部２６を閉塞する閉状態とに切替自在に備えられている。
【００２７】
可動部側防水パッキン２２は、図１及び図２に示すように、固定部側防水パッキン１１に嵌合自在な円盤状に形成されている。固定部側防水パッキン１１の内壁部、及び、可動部側防水パッキン２２の外周部には、螺旋状の溝部が形成されており、固定部側防水パッキン１１の内壁部、及び、可動部側防水パッキン２２の外周部が、螺合自在なネジ部にて構成されている。
【００２８】
閉塞部２３は、図１及び図２に示すように、その外径が固定部５の内径と同一な円盤状に形成されている。可動部６が収容位置に位置する状態において、閉塞部２３は、固定部５の上端部を閉塞自在に備えられている。
【００２９】
大径部２４は、図１及び図２に示すように、固定部５の外径よりも大径の円板状に形成されている。大径部２４の上面部の中央側には、上方側に突出するつまみ３１が形成されている。つまみ３１は、平面視で大径部２４の中心から対称的に延びる直線状に形成されている。
【００３０】
可動部６における各部の支持構成について説明する。
可動部側防水パッキン２２は、下方側筒状部２１上を移動（摺動）自在になるように、下方側筒状部２１の上壁部２１ａに載置支持されている。そして、可動部側防水パッキン２２は、第１コンセント支持部２７から上方側に延びる支持軸部３２によりその支持軸部３２の軸心周りに回動自在に備えられている。
【００３１】
それに対して、閉塞部２３は、可動部側防水パッキン２２に対して接着剤等の各種の固定具を用いて固定状態で備えられ、大径部２４は、閉塞部２３に対して接着剤等の各種の固定具を用いて固定状態で備えられている。これにより、可動部側防水パッキン２２、閉塞部２３、及び、大径部２４が、下方側筒状部２１に対して、一体的に支持軸部３２の軸心周りに回動自在に備えられている。
【００３２】
コンセント装置１を使用しない場合には、図１に示すように、可動部６を収容位置に位置させておき、可動部６において大径部２４よりも下方側部分を固定部５の内部に収容させている。このようにして、可動部６の一部や内蔵されるコンセント部２５を固定部５の内部に収容させることで、可動部６やコンセント部２５が邪魔になることなく、意匠性のよいコンセント装置１となっている。
【００３３】
このとき、固定部５の上端部は、可動部６の閉塞部２３にて閉塞され、大径部２４の下面部を床材４の表面部に当接させることができる。これにより、塵埃等の異物が固定部５の内部に浸入するのを防止することができる。しかも、コンセント部２５や差込部２６よりも上方側において、固定部側防水パッキン１１と可動部側防水パッキン２２とが嵌合（螺合）しているので、固定部５の内部への水の浸入も防止することができる。また、仮に、固定部５の内部に水が浸入したとしても、その水を水抜き孔部１２から外部に排出することができ、コンセント部２５の差込部２６に水が浸入するのを防止することができる。コンセント部２５は、可動部６において、下方側筒状部２１の内部に配置され、差込部２６を下方側に向けた縦向き姿勢であるので、この点でも、差込部２６への水の浸入を適切に防止することができる。
【００３４】
コンセント装置１を使用する場合には、図２及び図３に示すように、可動部６を収容位置（図１参照）から突出位置に移動させる。作業者等は、大径部２４の上面部に形成されたつまみ３１をつまんで大径部２４を上下軸心周りに回動させることで、下方側筒状部２１に対して、可動部側防水パッキン２２、閉塞部２３、及び、大径部２４を一体的に支持軸部３２の軸心周りに回動させることができる。可動部側防水パッキン２２を回動させることで、可動部側防水パッキン２２と固定部側防水パッキン１１とのネジ部の螺合を解除させることができる。可動部側防水パッキン２２と固定部側防水パッキン１１とのネジ部の螺合が解除されると、付勢部７の付勢力により可動部６が上方側に移動して、移動規制部８が固定部側防水パッキン１１に当接し、可動部６が突出位置に位置保持される。
【００３５】
図３に示すように、可動部６を突出位置に移動させると、下方側筒状部２１の窓部２１ｂが床材４の表面部よりも上方側に位置することになる。このとき、開閉部２９が自重により窓部２１ｂを閉塞する閉状態となっている。そこで、作業者等が、開閉部２９を上方側に持ち上げることで、窓部２１ｂを開放する開状態に切り替える。窓部２１ｂを開放することで、下方側筒状部２１の内部が外部に露出するので、作業者等が下方側筒状部２１の内部に指等を挿入可能となる。作業者等が指等でコンセント部２５を水平軸部Ｐ周りで回動操作して、コンセント部２５を縦向き姿勢から横向き姿勢に姿勢変更することで、差込部２６を外部に露出させて、差込部２６にプラグ９を差し込む。
【００３６】
差込部２６にプラグ９を差し込んだ状態において、開閉部２９が自重により下方側に揺動して閉状態に復帰しようとするので、差込部２６に差し込んだプラグ９ごと開閉部２９にて上方側から覆うことができる。これにより、コンセント部２５の差込部２６にプラグ９を差し込んでコンセント部２５を実際に使用する最中において、開閉部２９により下方側筒状部２１（可動部６）の内部への水の浸入を防止することができる。
【００３７】
〔別実施形態〕
本発明の他の実施形態について説明する。尚、以下に説明する各実施形態の構成は、それぞれ単独で適用することに限らず、他の実施形態の構成と組み合わせて適用することも可能である。
（１）上記実施形態では、スラブ２の上部に束材３にて支持されたデッキ等の床材４を設置対象面として、コンセント装置１を設置した例を示したが、設置対象面は、屋外における各種の設置対象面や、屋内における各種の設置対象面を適用することができる。
【００３８】
例えば、屋外における設置対象面として、屋外の地面４０を設置対象面として、コンセント装置１を地中４１に埋設状態で設置することもできる。この場合には、地中４１に埋設状態で設置した固定部５の周囲（図４中グレーにて示した範囲）に、モルタル等の充填剤４２を充填させることで、固定部５を固定状態で設置することができる。電気配線１０は、地中４１に形成された配線用孔部４３を通して配置され、コンセント部２５に接続されている。
【００３９】
（２）上記実施形態では、固定部５や可動部６の形状を平面視で円形状としているが、例えば、固定部５や可動部６を平面視で矩形状に形成することもでき、固定部５や可動部６をどのような形状とするかは適宜変更が可能である。
【００４０】
（３）上記実施形態では、大径部２４の上面部に上方側に突出するつまみ３１を備えた例を示したが、例えば、つまみ３１に代えて、大径部２４の上面部に凹溝部を形成することもできる。この場合には、凹溝部に板状体を挿入することで、大径部２４を上下軸心周りで回動させることができる。
【符号の説明】
【００４１】
１          コンセント装置
５          固定部
６          可動部
１１        固定部側防水パッキン
２２        可動部側防水パッキン
２４        大径部
２５        コンセント部
２６        差込部
２９        開閉部
３０        ヒンジ部
４０        地面（設置対象面）
【図１】
2020024887.tif 000003
【図２】
2020024887.tif 000004
【図３】
2020024887.tif 000005
【図４】
2020024887.tif 000006